(57)【要約】【課題】治具の導入に要する生産コストおよび作業工程を削減することによって、作業者の負担を軽減すると共に、生産効率を向上させる。【解決手段】メモリーカード１を着脱可能に保持し、このメモリーカード１の端子面１ａに形成された端子を基板２１側の端子にデータ交換可能に接続するものである。メモリーカード１の端子面１ａに当接される端子面当接部３と、この端子面当接部３の幅方向両端部から立ち上げられ、メモリーカード１を幅方向に位置決めする案内壁４・４とを有するハウジング２と、弾性を有した支持片１２・１２を上下に有し、これら支持片１２・１２で案内壁４・４の上下を挟み込むように外側方向から嵌め込まれることにより各案内壁４に設けられ、メモリーカード１の幅方向両端部を支持片１２により端子面当接部３に押し付けるタブ１０とを有している。【選択図】　　　　図１
2004006072.tif 000002
【特許請求の範囲】
【請求項１】
メモリーカードを着脱可能に保持し、該メモリーカードの端子面に形成された端子を基板側の端子にデータ交換可能に接続するメモリーカード用コネクタにおいて、
前記メモリーカードの端子面に当接される端子面当接部と、該端子面当接部の幅方向両端部から立ち上げられ、前記メモリーカードを幅方向に位置決めする案内壁とを有するハウジングと、
弾性を有した支持片を上下に有し、これら支持片で前記案内壁の上下を挟み込むように外側方向から嵌め込まれることにより各案内壁に設けられ、前記メモリーカードの幅方向両端部を前記支持片により前記端子面当接部に押し付けるタブと
を有することを特徴とするメモリーカード用コネクタ。
【請求項２】
前記支持片の端部は、根元側から自由端側にかけて短尺となるように傾斜されていることを特徴とする請求項１に記載のメモリーカード用コネクタ。
【請求項３】
前記タブは、支持片が上下対称に形成されていることを特徴とする請求項１または２に記載のメモリーカード用コネクタ。
【請求項４】
前記案内壁の下側に位置する前記タブの支持片の外側面は、半田付けにより前記基板に固定されていることを特徴とする請求項１ないし３の何れか１項に記載のメモリーカード用コネクタ。
【請求項５】
前記タブの支持片の外側面には、メッシュ模様が形成されていることを特徴とする請求項４に記載のメモリーカード用コネクタ。
【請求項６】
前記タブは、上側の支持片から下側の支持片にかけて開口された係止窓を有しており、
前記案内壁は、前記係止窓内で前記上側の支持片よりも上方および前記下側の支持片よりも下方に頂部がそれぞれ位置するように形成された係止部を有することを特徴とする請求項１ないし５の何れか１項に記載のメモリーカード用コネクタ。
【請求項７】
前記係止部は、外側面から頂部にかけて傾斜された傾斜面を有することを特徴とする請求項６に記載のメモリーカード用コネクタ。
【請求項８】
前記係止部は、複数箇所に並列配置されており、
前記支持片の係止窓側には、前記係止部間で案内壁を挟持する凸部が形成されていることを特徴とする請求項６または７に記載のメモリーカード用コネクタ。
【請求項９】
請求項１ないし８の何れか１項のメモリーカード用コネクタを備えたことを特徴とする携帯電話。
【発明の詳細な説明】
【０００１】
【発明の属する技術分野】
本発明は、メモリーカードの端子を基板側の端子にデータ交換可能に接続するメモリーカード用コネクタに関するものである。
【０００２】
【従来の技術】
例えば携帯電話機は、電話番号等の個人情報を登録して使用するものであるため、新機種に更新するときに、登録した個人情報を旧機種から新機種に容易に移し替えできることが望まれている。従って、近年においては、携帯電話機に内蔵された基板にメモリーカード用コネクタを半田接着しておき、このコネクタに個人情報を記憶するためのメモリーカードを着脱自在に装着する。そして、携帯電話機を更新する場合には、メモリーカードをコネクタから抜脱し、新機種のコネクタに装着し直すことにより個人情報の移し替えを行うようになっている。
【０００３】
ところで、メモリーカード用コネクタは、メモリーカードを強固に保持できると共に、メモリーカードの着脱が容易に行えることが望ましい。従って、従来のメモリーカード用コネクタは、両端部に嵌合穴を有したハウジングを準備すると共に、この嵌合穴にほぼ一致し、両端部に凸部が形成された挿入片を有したタブを準備する。そして、挿入片をハウジングの嵌合穴に挿入することによって、タブをハウジングに取り付けることにより作成されている。
【０００４】
【発明が解決しようとする課題】
しかしながら、上記従来のように、タブの挿入片をハウジングの嵌合穴に挿入して組み立てる構成では、挿入片の凸部がハウジングの嵌合穴よりも広幅であるため、治具によりタブを大きな力で押し込んでハウジング側を変形させながら挿入する必要がある。この結果、治具の導入により生産コストが増大すると共に、治具を用いて作業することにより作業工程が増大する。これにより、作業者の負担が増大し、生産効率が低下するという問題がある。
【０００５】
従って、本発明は、治具の導入に要する生産コストおよび作業工程を削減することによって、作業者の負担を軽減することができると共に、生産効率を向上させることができるメモリーカード用コネクタを提供するものである。
【０００６】
【課題を解決するための手段】
上記課題を解決するために、請求項１の発明は、メモリーカードを着脱可能に保持し、該メモリーカードの端子面に形成された端子を基板側の端子にデータ交換可能に接続するメモリーカード用コネクタにおいて、前記メモリーカードの端子面に当接される端子面当接部と、該端子面当接部の幅方向両端部から立ち上げられ、前記メモリーカードを幅方向に位置決めする案内壁とを有するハウジングと、弾性を有した支持片を上下に有し、これら支持片で前記案内壁の上下を挟み込むように外側方向から嵌め込まれることにより各案内壁に設けられ、前記メモリーカードの幅方向両端部を前記支持片により前記端子面当接部に押し付けるタブとを有することを特徴としている。
【０００７】
上記の構成によれば、タブを案内壁の外側方向から嵌め込んで取り付ける場合、タブの上下に配置された支持片が案内壁に当接しながら上下に強制的に開かせる必要があるが、支持片が弾性を有しているため、作業者が手でタブを案内壁方向に押し付ければ、支持片が案内壁を挟み込む状態まで容易に嵌め込むことができる。従って、従来のようにハウジング側を強制的に変形させて取り付ける場合のように、タブを大きな力で押圧する治具を用いる必要がない。これにより、治具の導入に要する生産コストを低減することができると共に、治具を用いて作業することにより生じていた工程を削減することができる。この結果、作業者の負担を軽減することができると共に、生産効率を向上させることができる。
【０００８】
請求項２の発明は、請求項１に記載のメモリーカード用コネクタであって、前記支持片の端部は、根元側から自由端側にかけて短尺となるように傾斜されていることを特徴としている。
【０００９】
上記の構成によれば、メモリーカードをメモリーカード用コネクタに装着する際に、支持片の自由端が端子面当接部に近接し、支持片の自由端とハウジングの端子面当接部との間隔がメモリーカードの厚さ以下となっている場合であっても、支持片の根元側の大きな隙間からメモリーカードの端部を差し込んで挿入することができる。これにより、メモリーカードをメモリーカード用コネクタに容易に装着することができる。
【００１０】
請求項３の発明は、請求項１または２に記載のメモリーカード用コネクタであって、前記タブは、支持片が上下対称に形成されていることを特徴としている。
【００１１】
上記の構成によれば、タブの上下を逆にして取り付けることができるため、タブの取り扱いが容易になり、作業者の負担を一層軽減することができる。
【００１２】
請求項４の発明は、請求項１ないし３の何れか１項に記載のメモリーカード用コネクタであって、前記案内壁の下側に位置する前記タブの支持片の外側面は、半田付けにより前記基板に固定されていることを特徴としている。上記の構成によれば、コネクタを基板に強固に固定することができる。
【００１３】
請求項５の発明は、請求項４に記載のメモリーカード用コネクタであって、前記タブの支持片の外側面には、メッシュ模様が形成されていることを特徴としている。上記の構成によれば、メッシュ模様で支持片の外側面の表面積を拡大することができるため、半田付けによるコネクタの基板への固定をより強固にすることができる。
【００１４】
請求項６の発明は、請求項１ないし５の何れか１項に記載のメモリーカード用コネクタであって、前記タブは、上側の支持片から下側の支持片にかけて開口された係止窓を有しており、前記案内壁は、前記係止窓内で前記上側の支持片よりも上方および前記下側の支持片よりも下方に頂部がそれぞれ位置するように形成された係止部を有することを特徴としている。
【００１５】
上記の構成によれば、係止部の頂部が上側および下側の支持片にそれぞれ当接することによって、タブがハウジングから脱落することを防止することができる。
【００１６】
請求項７の発明は、請求項６に記載のメモリーカード用コネクタであって、前記係止部は、外側面から頂部にかけて傾斜された傾斜面を有することを特徴としている。上記の構成によれば、タブの支持片が傾斜面に沿って開くため、タブを容易にハウジングに取り付けることができる。
【００１７】
請求項８の発明は、請求項６または７に記載のメモリーカード用コネクタであって、前記係止部は、複数箇所に並列配置されており、前記支持片の係止窓側には、前記係止部間で案内壁を挟持する凸部が形成されていることを特徴としている。
【００１８】
上記の構成によれば、係止窓が開口されたことにより支持片の保形性が低下することになっても、案内壁の上下を凸部で挟持することによって、支持片の保形性の低下を最小限に抑制することができる。
【００１９】
請求項９の発明は、携帯電話であって、請求項１ないし８の何れか１項のメモリーカード用コネクタを備えたことを特徴としている。これにより、メモリーカード用コネクタが携帯電話の筐体内部に設けられ、斜め上方から着脱作業を行う必要がある場合でも、着脱作業を容易に行うことができると共に、着脱作業時にメモリーカード用コネクタに対して不規則な剥離力が生じても、メモリーカード用コネクタが基板から剥離し難いものにできることから、携帯電話の更新を容易且つ安全に行うことができる。
【００２０】
【発明の実施の形態】
本発明の実施の形態を図１ないし図５に基づいて以下に説明する。
本実施の形態に係るメモリーカード用コネクタは、図１に示すように、メモリーカード１を着脱可能に保持し、このメモリーカード１の端子面１ａに形成された端子を図２の基板２１側の端子にデータ交換可能に接続するものである。ここで、メモリーカード１としては、ＳＩＭ（Ｓｕｂｓｃｒｉｂｅｒ　Ｉｄｅｎｔｉｆｉｃａｔｉｏｎ　Ｍｏｄｕｌｅ）カードを挙げることができるが、その他の情報記憶媒体であっても良い。また、基板２１は、図２に示すように、携帯電話２２やその他の情報端末、電子機器に搭載されている。
【００２１】
上記のメモリーカード用コネクタは、図１および図３〜図５に示すように、合成樹脂材料で形成されたハウジング２と、このハウジング２に設けられた金属製のタブ１０とを有している。ハウジング２は、メモリーカード１の端子面１ａに当接される端子面当接部３と、端子面当接部３の幅方向両端部から立ち上げられ、メモリーカード１を幅方向に位置決めする案内壁４・４とを有している。端子面当接部３は、中継端子５を保持する端子保持部３ａを備えている。端子保持部３ａは、ハウジング２の幅方向の３箇所に形成されており、これらを一組として長手方向の前後２箇所に配置されている。また、各案内壁４は、タブ１０を保持する係止部６と、タブ収容溝７とを有している。タブ収容溝７は、タブ１０の高さ、長さおよび厚みに一致した溝高、溝長および溝厚に設定されている。一方、係止部６は、タブ収容溝７内において長手方向の２箇所に並列配置されている。尚、係止部６は、１箇所に配置されていてもよいし、３箇所以上に配置されていても良い。
【００２２】
一方、タブ１０は、上述のタブ収容溝７に面状に当接する直立部１１と、直立部１１の上端および下端から曲折された支持片１２・１２とを有している。支持片１２・１２の根元側の間隔は、タブ収容溝７の溝高さに一致した長さに設定されている。尚、曲折角度は、支持片１２．１２の両端部の幅が根元側の幅よりも狭くなる角度であることが好ましい。両支持片１２・１２は、弾性を有しており、ハウジング２の案内壁４の上下を挟み込むようにハウジング２の外側方向から嵌め込まれるようになっている。そして、一方の支持片１２は、メモリーカード１の幅方向の端部を端子面当接部３に押し付けるようになっている。また、支持片１２の端部は、支持片１２の根元側の大きな隙間からメモリーカード１の端部を差し込んで挿入することができるように、根元側から自由端側にかけて短尺となるように傾斜されている。さらに、両支持片１２・１２は、タブ１０の上下を逆にして取り付けることができるように、上下対称に形成されている。
【００２３】
また、案内壁４の下側に位置するタブ１０の支持片１２は、メモリーカード用コネクタを図２の基板２１に強固に固定するように、外側面が半田付けにより基板２１に固定されている。さらに、各支持片１２の外側面には、メッシュ模様９が形成されている。メッシュ模様９は、支持片１２の外側面の表面積を拡大することによって、半田付けによるメモリーカード用コネクタの基板２１への固定をより強固にしている。
【００２４】
また、タブ１０は、上側の支持片１２から下側の支持片１２にかけて開口された係止窓１３を有している。係止窓１３は、支持片１２の突設方向とは逆方向に形成された凸部１０ａを中央部に有している。係止窓１３は、上述の各案内壁４に形成された係止部６・６に嵌合されている。各係止部６は、係止窓１３内で上側の支持片１２よりも上方および下側の支持片１２よりも下方に頂部がそれぞれ位置するように形成されている。そして、係止部６は、頂部が上側および下側の支持片１２・１２にそれぞれ当接することによって、タブ１０がハウジング２から脱落することを防止している。また、係止部６は、タブ収容溝７から外側方向に対しても溝厚と同程度に突設されており、タブ収容溝７とでタブ１０を水平方向（案内壁４の長手方向）に支持している。
【００２５】
さらに、係止部６は、外側面から頂部にかけて傾斜された傾斜面６ａを有している。傾斜面６ａは、タブ１０の支持片１２・１２が傾斜面６ａに沿って上下に開き易くしている。また、並列配置された係止部６・６間には、上述の支持片１２の係止窓１３側に形成された凸部１０ａが配設されている。そして、この凸部１０ａは、係止部６・６間で案内壁４を挟持することによって、支持片１２の保形性の低下を最小限に抑制している。
【００２６】
上記の構成において、メモリーカード用コネクタの製造方法について説明する。
【００２７】
（タブ製造工程）
ロール状に巻回された帯状の薄板金属板が繰出装置にセットされる。そして、金属板の先端部がプレス装置に繰り出される。そして、このプレス装置において、多数の凹凸を有したプレス面が金属板に押圧されることによって、プレス面の凹凸がメッシュ模様９として金属板の表面に転写される。尚、ここでいうメッシュ模様９は、多数の凹凸が形成されたものや、多数の直線的または曲線的な形態の細線が並列配置して形成されたもの、多数の上記形態の細線が交差して形成されたもの、さらにはこれらの凹凸および上記形態の細線の組み合わせにより形成されたものが含まれる。
【００２８】
この後、メッシュ模様９を形成した部位が支持片１２・１２となるように、タブ１０を展開した状態の外形が一部を残して打ち抜かれる。続いて、係止窓１３が打ち抜かれた後、支持片１２・１２が曲げ加工されることによって、タブ１０が金属板に等間隔で連続的に形成される。この後、タブ１０が金属板から切り離されて単品のタブ１０が作成される。
【００２９】
（ハウジング・中継端子製造工程）
ハウジング２の外形に対応したキャビティを備えた金型が準備される。金型が射出成形機にセットされ、絶縁性を備えた粒状の合成樹脂材料が射出成形機に供給されることによって、ハウジング２が作成される。また、帯状の薄板金属板がプレス加工装置等により打ち抜きおよび曲げ加工されることによって、３個を一組として並列配置された中継端子５・５・５の集合体が作成される。
【００３０】
（組み立て工程）
上記のように各工程で作成されたタブ１０、ハウジング２および中継端子５の集合体は、パーツフィーダにそれぞれ投入される。そして、組み立て工程において、所定の姿勢で１個づつ各パーツフィーダから作業者に供給される。作業者は、先ず、ピンセット等の把持具を用いてハウジング２を把持する。尚、作業者の手でハウジング２が把持されてもよい。
【００３１】
次に、タブ１０が把持され、上下の支持片１２・１２がハウジング２の案内壁４方向に移動される。案内壁４に到達した支持片１２・１２は、案内壁４の各係止部６に形成された上下の傾斜面６ａ・６ａにそれぞれ当接する。そして、タブ１０が案内壁４に押し付けられると、これらの支持片１２・１２は、傾斜面６ａ・６ａに沿って上下に開くように変形し、案内壁４を挟み込むようにして移動する。従って、タブ１０の保管時や運搬時等において、外力により支持片１２・１２の先端部の隙間が狭くなった場合でも、支持片１２・１２は、問題なく案内壁４を挟み込むように移動する。
【００３２】
また、支持片１２・１２は、弾性を有していると共に、薄板金属板により形成されたものであるため、容易に変形して元の状態に戻る。従って、作業者がタブ１０をハウジング２の案内壁４方向に軽く押し付けるだけで、両支持片１２・１２が開いて案内壁４を挟み込むように移動するため、タブ１０をハウジング２に容易に取り付けることができる。また、このときに、支持片１２・１２が上下対称に形成されているため、タブ１０の上下を逆にして取り付けることができると共に、タブ１０が左用および右用に限定されずに両用のタブ１０として使用することができる。従って、タブ１０を取り付けるときの作業ミスが回避される。さらに、作業者のタブ１０の取り付け時における取付方向の注意負担が解消されると共に、取付方向に注意する工程が削減される。
【００３３】
タブ１０が案内壁４に押し付けられることによって、タブ１０の直立部１１がタブ収容溝７に当接すると、タブ収容溝７内に配置された係止部６の上側および下側の頂部が係止窓１３内に入り込む。これにより、係止部６の頂部が上側および下側の支持片１２・１２にそれぞれ当接することによって、タブ１０がハウジング２から脱落することを防止することができる。また、タブ１０がタブ収容溝７に嵌合されることによって、タブ１０が案内壁４に沿った水平方向にズレることを防止することができる。
【００３４】
上記のようにしてハウジング２に対してタブ１０・１０が取り付けられると、次いで、３個を一組として並列配置された中継端子５の集合体が把持される。この中継端子５・５・５は、ハウジング２の幅方向に並列配置された端子保持部３ａ・３ａ・３ａに一度の作業でそれぞれ嵌合される。この後、中継端子５・５・５を接続した図示しないキャリアが折り取られ、各中継端子５・５・５が電気的に独立した状態にされる。そして、このような中継端子５・５・５の嵌合作業が前後の端子保持部３ａ・３ａ・３ａに対して行われることによって、メモリーカード用コネクタが作成される。
【００３５】
次に、上記のように作成されたメモリーカード用コネクタの動作について説明する。
【００３６】
先ず、メモリーカード用コネクタは、図２の携帯電話２２の基板２１上に他の電子部品と共に載置される。そして、タブ１０の下側の支持片１２が中継端子５と共に基板２１に半田付けされる。これにより、メモリーカード用コネクタは、基板２１に強固に固定された状態となる。
【００３７】
次に、メモリーカード１がハウジング２の案内壁４・４間に挿入され、幅方向両端部に設けられた各タブ１０における上側の支持片１２とハウジング２の端子面当接部３との間に挿入される。この際、各支持片１２の端部は、根元側から自由端側にかけて短尺となるように傾斜されている。従って、支持片１２の自由端が端子面当接部３に近接し、支持片１２の自由端とハウジング２の端子面当接部３との間隔がメモリーカード１の厚さ以下となっていても、支持片１２の根元側の大きな隙間からメモリーカード１の端部を差し込んで容易に挿入することができる。この結果、メモリーカード１をメモリーカード用コネクタに容易に装着することができる。
【００３８】
また、メモリーカード１がメモリーカード用コネクタに装着されるときに、メモリーカード１がハウジング２の斜め上方からタブ１０の支持片１２を押し開くように挿入されるため、メモリーカード用コネクタに対して上下方向および水平方向の不規則な力が作用する。そして、この不規則な力は、メモリーカード用コネクタを基板２１から剥離する剥離力として作用する。ところが、メモリーカード用コネクタは、上述のようにタブ１０の支持片１２が半田付けにより基板２１に接着されている。さらに、支持片１２の表面は、メッシュ模様９により半田付けの接着面積が拡大されている。これにより、メモリーカード用コネクタが強固に基板２１に固定されているため、メモリーカード１の挿入時に多少の剥離力が発生した場合でも、メモリーカード用コネクタが基板２１から剥離することはない。
【００３９】
上記のようにしてメモリーカード１が挿入されると、両タブ１０・１０の上側の支持片１２・１２がメモリーカード１の幅方向両端部を端子面当接部３方向に押圧することによって、メモリーカード１がハウジング２に保持される。この結果、メモリーカード１の端子が中継端子５を介して基板２１の端子に安定して接続され、例えば電話番号等の個人情報データがメモリーカード１に記憶されていくことになる。この後、図２の携帯電話２２を更新する場合には、メモリーカード用コネクタからメモリーカード１が抜脱される。
【００４０】
このとき、メモリーカード１がハウジング２の斜め上方にタブ１０の支持片１２を押し開くように抜脱されるため、メモリーカード用コネクタに対して上下方向および水平方向の不規則な力が作用する。そして、この不規則な力は、メモリーカード用コネクタを基板２１から剥離する剥離力として作用する。ところが、メモリーカード用コネクタは、上述のようにタブ１０の支持片１２が半田付けにより基板２１に接着されている。さらに、支持片１２の表面は、メッシュ模様９により半田付けの接着面積が拡大されている。これにより、メモリーカード用コネクタが強固に基板２１に固定されているため、メモリーカード１の抜脱時に多少の剥離力が発生した場合でも、メモリーカード用コネクタが基板２１から剥離することはない。そして、このようにして抜脱されたメモリーカード１は、新機種の携帯電話２２のメモリーカード用コネクタに装着される。
【００４１】
以上のように、本実施形態のメモリーカード用コネクタは、メモリーカード１を着脱可能に保持し、このメモリーカード１の端子面１ａに形成された端子を基板２１側の端子にデータ交換可能に接続するものであり、メモリーカード１の端子面１ａに当接される端子面当接部３と、この端子面当接部３の幅方向両端部から立ち上げられ、メモリーカード１を幅方向に位置決めする案内壁４・４とを有するハウジング２と、弾性を有した支持片１２・１２を上下に有し、これら支持片１２・１２で案内壁４・４の上下を挟み込むように外側方向から嵌め込まれることにより各案内壁４に設けられ、メモリーカード１の幅方向両端部を支持片１２により端子面当接部３に押し付けるタブ１０とを有した構成にされている。
【００４２】
上記の構成によれば、タブ１０を案内壁４の外側方向から嵌め込んで取り付ける場合、タブ１０の上下に配置された支持片１２を案内壁４に当接させながら上下に強制的に開かせる必要があるが、支持片１２が弾性を有しているため、作業者が手でタブ１０を案内壁４方向に押し付ければ、支持片１２が案内壁４を挟み込む状態まで容易に嵌め込むことができる。従って、従来のようにハウジング２側を強制的に変形させて取り付ける場合のように、タブ１０を大きな力で押圧する治具を用いる必要がない。これにより、治具の導入に要する生産コストを低減することができると共に、治具を用いて作業することにより生じていた工程を削減することができる。この結果、作業者の負担を軽減することができると共に、生産効率を向上させることができる。
【００４３】
また、本実施形態における支持片１２の端部は、根元側から自由端側にかけて短尺となるように傾斜されている。これにより、メモリーカード１をメモリーカード用コネクタに装着する際に、支持片１２の自由端が端子面当接部３に近接し、支持片１２の自由端とハウジング２の端子面当接部３との間隔がメモリーカード１の厚さ以下となっている場合であっても、支持片１２の根元側の大きな隙間からメモリーカード１の端部を差し込んで挿入することができる。この結果、メモリーカード１をメモリーカード用コネクタに容易に装着することができる。
【００４４】
また、本実施形態におけるタブ１０は、支持片１２が上下対称に形成されている。これにより、タブ１０の上下を逆にして取り付けることができるため、タブ１０の取り扱いが容易になり、作業者の負担を一層軽減することができる。
【００４５】
また、本実施形態における案内壁４の下側に位置するタブ１０の支持片１２の外側面は、半田付けにより基板２１に固定されている。これにより、コネクタを基板２１に強固に固定することができる。
【００４６】
また、本実施形態におけるタブ１０の支持片１２の外側面には、メッシュ模様９が形成されている。これにより、メッシュ模様９で支持片１２の外側面の表面積を拡大することができるため、半田付けによるコネクタの基板２１への固定をより強固にすることができる。
【００４７】
また、本実施形態におけるタブ１０は、上側の支持片１２から下側の支持片１２にかけて開口された係止窓１３を有しており、案内壁４は、係止窓１３内で上側の支持片１２よりも上方および下側の支持片１２よりも下方に頂部がそれぞれ位置するように形成された係止部６を有した構成にされている。これにより、係止部６の頂部が上側および下側の支持片１２にそれぞれ当接することによって、タブ１０がハウジング２から脱落することを防止することができる。
【００４８】
また、本実施形態における係止部６は、外側面から頂部にかけて傾斜された傾斜面６ａを有している。これにより、タブ１０の支持片１２が傾斜面６ａに沿って開くため、タブ１０を容易にハウジング２に取り付けることができる。
【００４９】
また、本実施形態における係止部６は、複数箇所に並列配置されており、支持片１２の係止窓１３側には、係止部６間で案内壁４を挟持する凸部１０ａが形成されている。これにより、係止窓１３が開口されたことにより支持片１２の保形性が低下することになっても、案内壁４の上下を凸部１０ａで挟持することによって、支持片１２の保形性の低下を最小限に抑制することができる。
【００５０】
以上、本発明を好適な実施の形態に基づいて説明したが、本発明はその趣旨を超えない範囲において変更が可能である。即ち、本実施形態においては、メッシュ模様９が支持片１２の一部領域に形成されているが、支持片１２の全面に形成されていても良いし、さらにタブ１０の全面に形成されていても良い。支持片１２の全面にメッシュ模様９を形成した場合には、半田接着する面積を一層拡大することができる。また、タブ１０の全面にメッシュ模様９を形成した場合には、タブ１０を打ち抜き加工する場合の位置決め精度を低くしても、正規のタブ１０を高い歩留まりで作成することができる。
【００５１】
また、本実施形態におけるタブ製造工程においては、プレス装置のプレス面を金属板に押圧することによりメッシュ模様９を形成しているが、これに限定されることはない。即ち、メッシュ模様９は、転写ロールの周面が金属板に押し付けられることによって、転写ロールの周面に形成されたメッシュ模様が金属板の表面に転写されることにより形成されていても良い。また。メッシュ模様９は、微小球を金属板の表面に吹き当てることにより形成されていても良い。
【００５２】
さらに、本実施形態における組み立て工程においては、ハウジング２に対してタブ１０を取り付けた後に中継端子５を取り付ける手順で組み立て作業を行っているが、これに限定されるものではなく、中継端子５の取り付け後にタブ１０を取り付ける手順で組み立て作業が行われても良い。
【００５３】
【発明の効果】
請求項１の発明によれば、支持片が弾性を有しているため、作業者が手でタブを案内壁方向に押し付ければ、支持片が案内壁を挟み込む状態まで容易に嵌め込むことができる。従って、治具の導入に要する生産コストを低減することができると共に、治具を用いて作業することにより生じていた工程を削減することができる。この結果、作業者の負担を軽減することができると共に、生産効率を向上させることができる。
【００５４】
請求項２の発明によれば、メモリーカードをメモリーカード用コネクタに装着する際に、支持片の自由端が端子面当接部に近接し、支持片の自由端とハウジングの端子面当接部との間隔がメモリーカードの厚さ以下となっている場合であっても、支持片の根元側の大きな隙間からメモリーカードの端部を差し込んで挿入することができる。これにより、メモリーカードをメモリーカード用コネクタに容易に装着することができる。
【００５５】
請求項３の発明によれば、タブの上下を逆にして取り付けることができるため、タブの取り扱いが容易になり、作業者の負担を一層軽減することができる。
【００５６】
請求項４の発明によれば、コネクタを基板に強固に固定することができる。
【００５７】
請求項５の発明によれば、メッシュ模様で支持片の外側面の表面積を拡大することができるため、半田付けによるコネクタの基板への固定をより強固にすることができる。
【００５８】
請求項６の発明によれば、係止部の頂部が上側および下側の支持片にそれぞれ当接することによって、タブがハウジングから脱落することを防止することができる。
【００５９】
請求項７の発明によれば、タブの支持片が傾斜面に沿って開くため、タブを容易にハウジングに取り付けることができる。
【００６０】
請求項８の発明によれば、係止窓が開口されたことにより支持片の保形性が低下することになっても、案内壁の上下を凸部で挟持することによって、支持片の保形性の低下を最小限に抑制することができる。
【００６１】
請求項９の発明によれば、メモリーカード用コネクタが携帯電話の筐体内部に設けられ、斜め上方から着脱作業を行う必要がある場合でも、着脱作業を容易に行うことができると共に、着脱作業時にメモリーカード用コネクタに対して不規則な剥離力が生じても、メモリーカード用コネクタが基板から剥離し難いものにできることから、携帯電話の更新を容易且つ安全に行うことができる。
【図面の簡単な説明】
【図１】メモリーカード用コネクタの組み立て過程を示す説明図である。
【図２】メモリーカード用コネクタが携帯電話に搭載された状態を示す説明図である。
【図３】メモリーカード用コネクタの斜視図である。
【図４】メモリーカード用コネクタの正面図である。
【図５】メモリーカード用コネクタの裏面図である。
【符号の説明】
１　メモリーカード
１ａ　端子面
２　ハウジング
３　端子面当接部
３ａ　端子保持部
４　案内壁
５　中継端子
６　係止部
６ａ　傾斜面
７　タブ収容溝
９　メッシュ模様
１０　タブ
１０ａ　凸部
１１　直立部
１２　支持片
１３　係止窓
２１　基板
２２　携帯電話
【図１】
2004006072.tif 000003
【図２】
2004006072.tif 000004
【図３】
2004006072.tif 000005
【図４】
2004006072.tif 000006
【図５】
2004006072.tif 000007